(57)【要約】【課題】迅速に、所定の処理を開始することができるようにする。【解決手段】  リモートコントローラ６１は、ユーザによる接触が検知された場合、検知コマンドをテレビジョン受像機６２に送信する。マイコン７２は、受光部７１から供給された検知コマンドを基に、スリープ状態であるマイコン７３が、通常の動作状態に遷移するように制御する。リモートコントローラ６１は、ユーザにより操作された場合、操作コマンドをテレビジョン受像機６２に送信する。マイコン７２は、受光部７１から供給された操作コマンドを基に、通常の動作状態であるマイコン７３が、画像を表示部７４に表示するように制御することで、迅速に、所定の処理を開始することができるようになる。本発明は情報処理システムに適用できる。【選択図】図５
2007081921.tif 000002
【特許請求の範囲】
【請求項１】
リモートコントローラおよび所定の処理を実行する情報処理装置からなる情報処理システムにおいて、
前記リモートコントローラは、
ユーザによる接触を検知する検知手段と、
前記ユーザによる接触が検知された場合、前記ユーザに接触されたことを示す第１の要求を前記情報処理装置に送信する送信手段と
を備え、
前記情報処理装置は、
前記リモートコントローラから送信されてくる前記第１の要求を受信する受信手段と、
前記所定の処理を実行する処理手段と、
受信した前記第１の要求に基づいて、前記所定の処理のうち、先行して実行させることが可能な処理である第１の処理を実行するように前記処理手段を制御する制御手段と
を備え、
前記ユーザの操作に応じて、前記所定の処理の実行を指示する指示手段をさらに備え、
前記送信手段は、指示された前記所定の処理の実行を要求する第２の要求を前記情報処理装置に送信し、
前記受信手段は、前記リモートコントローラから送信されてくる前記第２の要求を受信し、
前記制御手段は、受信した前記第２の要求に基づいて、前記所定の処理から前記第１の処理を除いた処理である第２の処理を実行するように前記処理手段を制御する
情報処理システム。
【請求項２】
所定の処理を実行する情報処理装置に、前記所定の処理の実行を指示するリモートコントローラにおいて、
ユーザによる接触を検知する検知手段と、
前記ユーザによる接触が検知された場合、前記ユーザに接触されたことを示す第１の要求を前記情報処理装置に送信する送信手段と、
前記ユーザの操作に応じて、前記所定の処理の実行を指示する指示手段と
を備え、
前記送信手段は、指示された前記所定の処理の実行を要求する第２の要求を前記情報処理装置に送信する
リモートコントローラ。
【請求項３】
前記検知手段は、筐体の表面に設けられる
請求項２のリモートコントローラ。
【請求項４】
前記検知手段は、前記指示手段における前記ユーザと接触する面に設けられる
請求項２のリモートコントローラ。
【請求項５】
所定の処理を実行する情報処理装置に、前記所定の処理の実行を指示する制御方法において、
ユーザによる接触を検知する検知ステップと、
前記ユーザによる接触が検知された場合、前記ユーザに接触されたことを示す第１の要求の前記情報処理装置への送信を制御する送信制御ステップと、
前記ユーザの操作に応じて、前記所定の処理の実行を指示する指示ステップと
を含み、
前記送信制御ステップは、指示された前記所定の処理の実行を要求する第２の要求の前記情報処理装置への送信を制御する
制御方法。
【請求項６】
所定の処理を実行する情報処理装置に、前記所定の処理の実行を指示する制御処理を、コンピュータに行わせるプログラムにおいて、
ユーザによる接触を検知する検知ステップと、
前記ユーザによる接触が検知された場合、前記ユーザに接触されたことを示す第１の要求の前記情報処理装置への送信を制御する送信制御ステップと、
前記ユーザの操作に応じて、前記所定の処理の実行を指示する指示ステップと
を含み、
前記送信制御ステップは、指示された前記所定の処理の実行を要求する第２の要求の前記情報処理装置への送信を制御する
プログラム。
【請求項７】
リモートコントローラからの指示に基づいて、所定の処理を実行する情報処理装置において、
前記リモートコントローラから送信されてくる、ユーザに接触されたことを示す前記第１の要求を受信する受信手段と、
前記所定の処理を実行する処理手段と、
受信した前記第１の要求に基づいて、前記所定の処理のうち、先行して実行させることが可能な処理である第１の処理を実行するように前記処理手段を制御する制御手段と
を備え、
前記受信手段は、前記リモートコントローラから送信されてくる、前記所定の処理の実行を要求する第２の要求を受信し、
前記制御手段は、受信した前記第２の要求に基づいて、前記所定の処理から前記第１の処理を除いた処理である第２の処理を実行するように前記処理手段を制御する
情報処理装置。
【請求項８】
前記制御手段は、前記処理手段が消費電力を低減するためにスリープ状態で動作している場合、前記第１の要求を受信したとき、前記第１の要求に基づいて、スリープ状態から通常の動作状態に遷移するように前記処理手段を制御する
請求項７の情報処理装置。
【請求項９】
前記処理手段は、
アンテナからの信号を受信し、第１のチャンネルを選局する選局手段と、
選局された前記第１のチャンネルで放送されている番組の映像の表示装置への表示を制御する表示制御手段と
を備え、
前記制御手段は、前記第１の要求を受信した場合、前記第１の要求に基づいて、第２のチャンネルを選局するように前記選局手段を制御し、前記第２の要求を受信した場合、前記第２の要求に基づいて、選局されている前記第２のチャンネルの番組の映像の前記表示装置への表示を制御するように前記表示制御手段を制御する
請求項７の情報処理装置。
【請求項１０】
前記選局手段は、前記第１のチャンネルと前記第２のチャンネルとの、２つのチャンネルを同時に選局する
請求項９の情報処理装置。
【請求項１１】
リモートコントローラからの指示に基づいて、所定の処理を実行する情報処理装置の情報処理方法において、
前記リモートコントローラから送信されてくる、ユーザに接触されたことを示す前記第１の要求の受信を制御する受信制御ステップと、
前記所定の処理を実行する処理ステップと、
受信した前記第１の要求に基づいて、前記所定の処理のうち、先行して実行させることが可能な処理である第１の処理を実行するように前記処理ステップを制御する制御ステップと
を含み、
前記受信制御ステップは、前記リモートコントローラから送信されてくる、前記所定の処理の実行を要求する第２の要求の受信を制御し、
前記制御ステップは、受信した前記第２の要求に基づいて、前記所定の処理から前記第１の処理を除いた処理である第２の処理を実行するように前記処理ステップを制御する
情報処理方法。
【請求項１２】
リモートコントローラからの指示に基づいて、所定の処理を実行する情報処理装置の情報処理を、情報処理装置のコンピュータに行わせるプログラムにおいて、
前記リモートコントローラから送信されてくる、ユーザに接触されたことを示す前記第１の要求の受信を制御する受信制御ステップと、
前記所定の処理を実行する処理ステップと、
受信した前記第１の要求に基づいて、前記所定の処理のうち、先行して実行させることが可能な処理である第１の処理を実行するように前記処理ステップを制御する制御ステップと
を含み、
前記受信制御ステップは、前記リモートコントローラから送信されてくる、前記所定の処理の実行を要求する第２の要求の受信を制御し、
前記制御ステップは、受信した前記第２の要求に基づいて、前記所定の処理から前記第１の処理を除いた処理である第２の処理を実行するように前記処理ステップを制御する
プログラム。
【発明の詳細な説明】
【技術分野】
【０００１】
本発明は情報処理システム、リモートコントローラおよび方法、情報処理装置および方法、並びにプログラムに関し、特に、迅速に、所定の処理を開始することができるようにした情報処理システム、リモートコントローラおよび方法、情報処理装置および方法、並びにプログラムに関する。
【背景技術】
【０００２】
テレビジョン受像機を遠隔から操作するために、リモートコントローラが利用されている。
【０００３】
従来のテレビジョン受像機システム（以下、テレビシステムとも称する）１は、図１で示すように、リモートコントローラ１１およびテレビジョン受像機１２から構成される。
【０００４】
リモートコントローラ１１は、ユーザの操作により、テレビジョン受像機１２を制御するための制御信号（コマンド）を生成し、生成したコマンドをテレビジョン受像機１２に送信する。
【０００５】
テレビジョン受像機１２は、アンテナ（図示せず）により放送信号を受信し、その受信した放送信号を復号して得られる映像信号を後述する表示部２４に、音声信号をスピーカ（図示せず）に、それぞれ供給する。これにより、ユーザは、表示部２４に表示された映像と、スピーカから出力される音声とを視聴することができる。
【０００６】
テレビジョン受像機１２は、受光部２１、マイコン２２、マイコン２３、および表示部２４から構成される。
【０００７】
受光部２１は、リモートコントローラ１１から送信されてくるコマンドを受信し、受信したコマンドをマイコン２２に供給する。
【０００８】
マイコン２２は、リモートコントローラ１１から送信されてくるコマンドであって、受光部２１から供給されたコマンドを基に、マイコン２３を制御する。すなわち、マイコン２３は、マイコン２２の制御を基に、メニュー画面（図１の表示部２４のメニュー画面Ａ１）などのグラフィックを描画して表示部２４の画面に表示させる。
【０００９】
次に、リモートコントローラ１１の外観について、図２を参照して説明する。
【００１０】
リモートコントローラ１１の上面には、ユーザにより押圧操作されるボタン１１Ａ乃至１１Ｉが配置され、リモートコントローラ１１がユーザに把持された場合、リモートコントローラ１１のテレビジョン受像機１２側を向く面には、コマンドを赤外線により送信する送信部（図示せず）が配置されている。
【００１１】
ボタン１１Ａ乃至１１Ｉのうち、ボタン１１Ａは電源の入切を、ボタン１１Ｂは消音（ミュート）を、ボタン１１Ｃはメニュー画面の表示を、ボタン１１Ｄは外部装置などへの入力の切り替えを、ボタン１１Ｅは０乃至９の数字キーを、それぞれ、ユーザに操作させるボタンとなる。また、ボタン１１Ｆは音声のボリュームを、ボタン１１Ｇはカーソルの移動を、ボタン１１ＨはEPG（Electronic Program Guide）の表示を、ボタン１１Ｉは操作の決定を、それぞれ、ユーザに操作させるボタンとなる。
【００１２】
また、近年、消費電力を低減するために、いわゆるスリープ機能（サスペンド機能）を有している機器が増加している。従来のテレビシステム１がスリープ機能を有している場合、テレビジョン受像機１２は、ユーザによる一定時間以上の操作が行われない場合など、マイコン２３が長時間動作する必要がないとき、消費電力を下げるためにマイコン２３への電力の供給を停止させる（電力の供給量を少なくさせる）（以下、消費電力を下げられた状態にあることをスリープ状態と称する）。
【００１３】
それに対して、テレビジョン受像機１２は、マイコン２３がスリープ状態にある場合に、ユーザによる操作がされたときには、マイコン２３への電力の供給を再開することにより、マイコン２３をスリープ状態から通常の動作状態に戻すことで、グラフィックを表示部２４の画面に表示させることが可能となる。
【００１４】
次に、図３を参照して、従来のテレビシステム１において、マイコン２３が、スリープ状態から通常の動作状態に遷移して、メニュー画面を表示させるまでの処理について説明する。なお、水平方向の実線は、時間軸を表しており、時間の方向は、図中左から右に向かう方向とされている。また、このとき、マイコン２３は、長時間動作する必要がなかったため、スリープ状態であるとする。
【００１５】
ステップＳ１１において、リモートコントローラ１１は、ユーザにより、ボタン１１Ｃが押圧操作された場合、押圧操作されたボタン１１Ｃに対応する、メニュー画面の表示を指示するコマンドを生成し、生成したコマンドをテレビジョン受像機１２に送信する。受光部２１は、リモートコントローラ１１から送信されてくるコマンドを受信し、受信したコマンドをマイコン２２に供給する。
【００１６】
ステップＳ１２において、マイコン２２は、リモートコントローラ１１から送信されてくるコマンドであって、受光部２１から供給されるコマンドを基に、スリープ状態であるマイコン２３への電力の供給を再開させる。
【００１７】
ステップＳ１３において、マイコン２３は、自分への電源の供給が再開されてから、起動するまでの時間であるシステム起動時間を経過後、起動を終了し、ステップＳ１４において、マイコン２２は、マイコン２３が起動したので、メニュー画面の描画をマイコン２３に指示する（描画開始処理）。すなわち、図３では、マイコン２３の起動が終了してから描画を開始するまでの時間が、描画開始処理を行っている時間となる。
【００１８】
ステップＳ１５において、マイコン２３は、マイコン２２の制御の基に、メニュー画面の描画を開始して、表示部２４の画面に表示させる（図１の表示部２４の画面に表示されているメニュー画面Ａ１）。
【００１９】
以上のようにして、従来のテレビシステム１では、マイコン２３がスリープ状態である場合、マイコン２２は、まず、ユーザの操作に応じて、マイコン２３がスリープ状態から通常の動作状態に遷移するように制御し、その後、マイコン２３がグラフィックを表示部２４の画面に表示するように制御する。
【００２０】
また、従来のテレビシステム１では、ユーザがリモートコントローラ１１を操作して、テレビジョン受像機１２が表示している映像のチャンネルを切り替えて、別のチャンネルの映像を表示させる場合、図４に示すような処理により、チャンネルを選局していた。
【００２１】
図４は、テレビシステム１がチャンネルを選局するまでの処理について説明する図である。
【００２２】
ステップＳ２１において、リモートコントローラ１１は、ユーザにより、ボタン１１Ｅが押圧操作された場合、押圧操作されたボタン１１Ｅの数字キーに対応するチャンネルの選局を指示するコマンドを生成し、生成したコマンドをテレビジョン受像機１２に送信する。受光部２１は、リモートコントローラ１１から送信されてくるコマンドを受信し、受信したコマンドをマイコン２２に供給する。
【００２３】
ステップＳ２２において、マイコン２２は、リモートコントローラ１１から送信されてくるコマンドであって、受光部２１から供給されるコマンドを基に、ユーザにより指示されているチャンネルをチューナ（図示せず）に選局させる。
【００２４】
ステップＳ２３において、チューナは、チャンネルの選局を開始してから選局が終了するまでの時間である選局時間を経過後、チャンネルの選局を終了し、選局されたチャンネルの映像信号を映像処理部（図示せず）に供給する。ステップＳ２４において、マイコン２２は、チューナがチャンネルの選局が終了したので、選局されたチャンネルの映像の表示を映像処理部に指示する（描画開始処理）。すなわち、図４では、チューナによるチャンネルの選局が終了してから映像処理部が描画を開始するまでの時間が、描画開始処理を行っている時間となる。
【００２５】
ステップＳ２５において、映像処理部は、マイコン２２の制御の基に、ユーザにより選択されたチャンネルの映像信号であって、チューナから供給された映像信号に対応する映像を、表示部２４の画面に描画して表示させる。
【００２６】
以上のようにして、従来のテレビシステム１では、ユーザにより、リモートコントローラ１１が操作されてチャンネルの変更が指示された場合、マイコン２２は、まず、チューナがチャンネルの選局を行うように制御し、その後、映像処理部がチューナから供給された映像信号に応じた映像を表示部２４の画面に表示するように制御する。
【００２７】
また、入力パネルへの入力無し状態の継続時間を計時し、入力パネルへの入力が無い時間が所定の時間を超えた場合、CPUの駆動速度を低速度に切り替えるとともに、A/Dコンバータ（Analog/Digital Converter）への電力供給を停止させることで省電力モードにし、それに対して、入力パネルへの入力が検出された場合には、CPUの駆動速度を高速度に切り替えるとともに、A/Dコンバータへの電力供給を介しすることで通常動作モードとしているタッチパネルセンサもある（例えば、特許文献１）。
【００２８】
【特許文献１】特開２００１−３０６２５５号公報
【発明の開示】
【発明が解決しようとする課題】
【００２９】
しかしながら、ソフトウェアプログラムにより処理されるデータ量が増加することにともなって、ソフトウェアプログラムが処理を行う時間も増加しており、ユーザがリモートコントローラを操作してから、所望の処理結果を得るまでに要する時間が長くかかるという問題があった。
【００３０】
例えば、テレビジョン受像機１２のように、一定の時間操作されないと消費電力を低減するために、マイコン２３をスリープ状態に遷移させる機器があるが、スリープ状態となっているマイコン２３にメニュー画面を表示させる場合、マイコン２３への電力の供給を再開して起動してからでないと、メニュー画面を描画させることができず、メニュー画面が表示されるまでに時間がかかるという問題があった。
【００３１】
特開２００１−３０６２５５号公報に開示されているタッチパネルセンサは、入力パネルへの入力が所定の時間無い場合、CPUの駆動速度を切り替えることにより消費電力を軽減しているが、入力パネルへの入力が検出されたとき、CPUの駆動速度を切り替えるのに時間がかかるので、所望の処理結果を得るまでに時間がかかっていた。
【００３２】
また、例えば、ユーザがリモートコントローラ１１を操作して、テレビジョン受像機１２が表示しているチャンネルとは、別のチャンネルに切り替える場合、チューナが別のチャンネルを選局するのに所定の時間が必要となるので、別のチャンネルに切り替えて表示させるまでに時間がかかるという問題もあった。
【００３３】
本発明はこのような状況に鑑みてなされたものであり、迅速に、所定の処理を開始することができるようにするものである。
【課題を解決するための手段】
【００３４】
本発明の第１の側面は、リモートコントローラおよび所定の処理を実行する情報処理装置からなる情報処理システムにおいて、前記リモートコントローラは、ユーザによる接触を検知する検知手段と、前記ユーザによる接触が検知された場合、前記ユーザに接触されたことを示す第１の要求を前記情報処理装置に送信する送信手段とを備え、前記情報処理装置は、前記リモートコントローラから送信されてくる前記第１の要求を受信する受信手段と、前記所定の処理を実行する処理手段と、受信した前記第１の要求に基づいて、前記所定の処理のうち、先行して実行させることが可能な処理である第１の処理を実行するように前記処理手段を制御する制御手段とを備え、前記ユーザの操作に応じて、前記所定の処理の実行を指示する指示手段をさらに備え、前記送信手段は、指示された前記所定の処理の実行を要求する第２の要求を前記情報処理装置に送信し、前記受信手段は、前記リモートコントローラから送信されてくる前記第２の要求を受信し、前記制御手段は、受信した前記第２の要求に基づいて、前記所定の処理から前記第１の処理を除いた処理である第２の処理を実行するように前記処理手段を制御する情報処理システムである。
【００３５】
本発明の第１の側面においては、リモートコントローラおよび所定の処理を実行する情報処理装置からなる情報処理システムにおいて、前記リモートコントローラでは、ユーザによる接触が検知され、前記ユーザによる接触が検知された場合、前記ユーザに接触されたことを示す第１の要求が前記情報処理装置に送信され、前記情報処理装置では、前記リモートコントローラから送信されてくる前記第１の要求が受信され、前記所定の処理が実行され、受信した前記第１の要求に基づいて、前記所定の処理のうち、先行して実行させることが可能な処理である第１の処理が実行されるように制御され、前記ユーザの操作に応じて、前記所定の処理の実行が指示され、指示された前記所定の処理の実行を要求する第２の要求が前記情報処理装置に送信され、前記リモートコントローラから送信されてくる前記第２の要求が受信され、受信した前記第２の要求に基づいて、前記所定の処理から前記第１の処理を除いた処理である第２の処理が実行されるように制御される。
【００３６】
本発明の第２の側面は、所定の処理を実行する情報処理装置に、前記所定の処理の実行を指示するリモートコントローラにおいて、ユーザによる接触を検知する検知手段と、前記ユーザによる接触が検知された場合、前記ユーザに接触されたことを示す第１の要求を前記情報処理装置に送信する送信手段と、前記ユーザの操作に応じて、前記所定の処理の実行を指示する指示手段とを備え、前記送信手段は、指示された前記所定の処理の実行を要求する第２の要求を前記情報処理装置に送信するリモートコントローラである。
【００３７】
前記検知手段は、筐体の表面に設けられるようにすることができる。
【００３８】
前記検知手段は、前記指示手段における前記ユーザと接触する面に設けられるようにすることができる。
【００３９】
本発明の第２の側面は、所定の処理を実行する情報処理装置に、前記所定の処理の実行を指示する制御方法において、ユーザによる接触を検知する検知ステップと、前記ユーザによる接触が検知された場合、前記ユーザに接触されたことを示す第１の要求の前記情報処理装置への送信を制御する送信制御ステップと、前記ユーザの操作に応じて、前記所定の処理の実行を指示する指示ステップとを含み、前記送信制御ステップは、指示された前記所定の処理の実行を要求する第２の要求の前記情報処理装置への送信を制御する制御方法である。
【００４０】
本発明の第２の側面は、所定の処理を実行する情報処理装置に、前記所定の処理の実行を指示する制御処理を、コンピュータに行わせるプログラムにおいて、ユーザによる接触を検知する検知ステップと、前記ユーザによる接触が検知された場合、前記ユーザに接触されたことを示す第１の要求の前記情報処理装置への送信を制御する送信制御ステップと、前記ユーザの操作に応じて、前記所定の処理の実行を指示する指示ステップとを含み、前記送信制御ステップは、指示された前記所定の処理の実行を要求する第２の要求の前記情報処理装置への送信を制御するプログラムである。
【００４１】
本発明の第２の側面においては、所定の処理を実行する情報処理装置に、前記所定の処理の実行を指示するリモートコントローラにおいて、ユーザによる接触が検知され、前記ユーザによる接触が検知された場合、前記ユーザに接触されたことを示す第１の要求が前記情報処理装置に送信され、前記ユーザの操作に応じて、前記所定の処理の実行が指示され、指示された前記所定の処理の実行を要求する第２の要求が前記情報処理装置に送信される。
【００４２】
本発明の第３の側面は、リモートコントローラからの指示に基づいて、所定の処理を実行する情報処理装置において、前記リモートコントローラから送信されてくる、ユーザに接触されたことを示す前記第１の要求を受信する受信手段と、前記所定の処理を実行する処理手段と、受信した前記第１の要求に基づいて、前記所定の処理のうち、先行して実行させることが可能な処理である第１の処理を実行するように前記処理手段を制御する制御手段とを備え、前記受信手段は、前記リモートコントローラから送信されてくる、前記所定の処理の実行を要求する第２の要求を受信し、前記制御手段は、受信した前記第２の要求に基づいて、前記所定の処理から前記第１の処理を除いた処理である第２の処理を実行するように前記処理手段を制御する情報処理装置である。
【００４３】
前記制御手段は、前記処理手段が消費電力を低減するためにスリープ状態で動作している場合、前記第１の要求を受信したとき、前記第１の要求に基づいて、スリープ状態から通常の動作状態に遷移するように前記処理手段を制御することができる。
【００４４】
前記処理手段は、アンテナからの信号を受信し、第１のチャンネルを選局する選局手段と、選局された前記第１のチャンネルで放送されている番組の映像の表示装置への表示を制御する表示制御手段とを備え、前記制御手段は、前記第１の要求を受信した場合、前記第１の要求に基づいて、第２のチャンネルを選局するように前記選局手段を制御し、前記第２の要求を受信した場合、前記第２の要求に基づいて、選局されている前記第２のチャンネルの番組の映像の前記表示装置への表示を制御するように前記表示制御手段を制御することができる。
【００４５】
前記選局手段は、前記第１のチャンネルと前記第２のチャンネルとの、２つのチャンネルを同時に選局することができる。
【００４６】
本発明の第３の側面は、リモートコントローラからの指示に基づいて、所定の処理を実行する情報処理装置の情報処理方法において、前記リモートコントローラから送信されてくる、ユーザに接触されたことを示す前記第１の要求の受信を制御する受信制御ステップと、前記所定の処理を実行する処理ステップと、受信した前記第１の要求に基づいて、前記所定の処理のうち、先行して実行させることが可能な処理である第１の処理を実行するように前記処理ステップを制御する制御ステップとを含み、前記受信制御ステップは、前記リモートコントローラから送信されてくる、前記所定の処理の実行を要求する第２の要求の受信を制御し、前記制御ステップは、受信した前記第２の要求に基づいて、前記所定の処理から前記第１の処理を除いた処理である第２の処理を実行するように前記処理ステップを制御する情報処理方法である。
【００４７】
本発明の第３の側面は、リモートコントローラからの指示に基づいて、所定の処理を実行する情報処理装置の情報処理を、情報処理装置のコンピュータに行わせるプログラムにおいて、前記リモートコントローラから送信されてくる、ユーザに接触されたことを示す前記第１の要求の受信を制御する受信制御ステップと、前記所定の処理を実行する処理ステップと、受信した前記第１の要求に基づいて、前記所定の処理のうち、先行して実行させることが可能な処理である第１の処理を実行するように前記処理ステップを制御する制御ステップとを含み、前記受信制御ステップは、前記リモートコントローラから送信されてくる、前記所定の処理の実行を要求する第２の要求の受信を制御し、前記制御ステップは、受信した前記第２の要求に基づいて、前記所定の処理から前記第１の処理を除いた処理である第２の処理を実行するように前記処理ステップを制御するプログラムである。
【００４８】
本発明の第３の側面においては、リモートコントローラからの指示に基づいて、所定の処理を実行する情報処理装置において、前記リモートコントローラから送信されてくる、ユーザに接触されたことを示す前記第１の要求が受信され、前記所定の処理が実行され、受信した前記第１の要求に基づいて、前記所定の処理のうち、先行して実行させることが可能な処理である第１の処理が実行されるように制御され、前記リモートコントローラから送信されてくる、前記所定の処理の実行を要求する第２の要求が受信され、受信した前記第２の要求に基づいて、前記所定の処理から前記第１の処理を除いた処理である第２の処理が実行されるように制御される。
【発明の効果】
【００４９】
以上のように、本発明の第１の側面によれば、迅速に、所定の処理を開始することができる。
【００５０】
本発明の第２の側面によれば、所定の処理の実行を指示して、情報処理装置において、迅速に、所定の処理を開始させることができる。
【００５１】
本発明の第３の側面によれば、迅速に、所定の処理を開始することができる。
【発明を実施するための最良の形態】
【００５２】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００５３】
本発明の第１の側面の情報処理システム（例えば、図５のテレビシステム５１）は、リモートコントローラ（例えば、図５のリモートコントローラ６１）は、ユーザによる接触を検知する検知手段（例えば、図７のセンサ９１）と、ユーザによる接触が検知された場合、ユーザに接触されたことを示す第１の要求（例えば、検知コマンド）を情報処理装置に送信する送信手段（例えば、図７の送信部９４）とを備え、情報処理装置（例えば、図５のテレビジョン受像機６２）が、リモートコントローラから送信されてくる第１の要求を受信する受信手段（例えば、図５の受光部７１）と、所定の処理を実行する処理手段（例えば、図５のマイコン７３）と、受信した第１の要求に基づいて、所定の処理のうち、先行して実行させることが可能な処理である第１の処理を実行するように処理手段を制御する制御手段（例えば、図５のマイコン７２）とを備え、ユーザの操作に応じて、所定の処理の実行を指示する指示手段（例えば、図７の入力部９２）をさらに備え、送信手段は、指示された所定の処理の実行を要求する第２の要求（例えば、操作コマンド）を情報処理装置に送信し、受信手段は、リモートコントローラから送信されてくる第２の要求を受信し、制御手段は、受信した第２の要求に基づいて、所定の処理から第１の処理を除いた処理である第２の処理を実行するように処理手段を制御する。
【００５４】
本発明の第２の側面のリモートコントローラ（例えば、図５のリモートコントローラ６１）は、ユーザによる接触を検知する検知手段（例えば、図７のセンサ９１）と、ユーザによる接触が検知された場合、ユーザに接触されたことを示す第１の要求（例えば、検知コマンド）を情報処理装置に送信する送信手段（例えば、図７の送信部９４）と、ユーザの操作に応じて、所定の処理の実行を指示する指示手段（例えば、図７の入力部９２）とを備え、送信手段は、指示された所定の処理の実行を要求する第２の要求（例えば、操作コマンド）を情報処理装置に送信する。
【００５５】
検知手段は、筐体の表面に設けられるようにすることができる。
【００５６】
検知手段は、指示手段におけるユーザと接触する面に設けられるようにすることができる。
【００５７】
本発明の第２の側面の制御方法またはプログラムは、ユーザによる接触を検知する検知ステップ（例えば、図９のステップＳ１０１の処理）と、ユーザによる接触が検知された場合、ユーザに接触されたことを示す第１の要求（例えば、検知コマンド）の情報処理装置への送信を制御する送信制御ステップ（例えば、図９のステップＳ１０３の処理）と、ユーザの操作に応じて、所定の処理の実行を指示する指示ステップ（例えば、図９のステップＳ１０４の処理）とを含み、送信制御ステップ（例えば、図９のステップＳ１０６の処理）は、指示された所定の処理の実行を要求する第２の要求（例えば、操作コマンド）の情報処理装置への送信を制御する。
【００５８】
本発明の第３の側面の情報処理装置（例えば、図５のテレビジョン受像機６２）は、リモートコントローラから送信されてくる、ユーザに接触されたことを示す第１の要求（例えば、検知コマンド）を受信する受信手段（例えば、図５の受光部７１）と、所定の処理を実行する処理手段（例えば、図５のマイコン７３）と、受信した第１の要求に基づいて、所定の処理のうち、先行して実行させることが可能な処理である第１の処理を実行するように処理手段を制御する制御手段（例えば、図５のマイコン７２）とを備え、受信手段は、リモートコントローラから送信されてくる、所定の処理の実行を要求する第２の要求（例えば、操作コマンド）を受信し、制御手段は、受信した第２の要求に基づいて、所定の処理から第１の処理を除いた処理である第２の処理を実行するように処理手段を制御する。
【００５９】
制御手段は、処理手段が消費電力を低減するためにスリープ状態で動作している場合、第１の要求を受信したとき、第１の要求に基づいて、スリープ状態から通常の動作状態に遷移するように処理手段を制御することができる。
【００６０】
処理手段は、アンテナからの信号を受信し、第１のチャンネルを選局する選局手段（例えば、図１１のチューナ１２３）と、選局された第１のチャンネルで放送されている番組の映像の表示装置への表示を制御する表示制御手段（例えば、図１１の映像処理部１２４）とを備え、制御手段は、第１の要求を受信した場合、第１の要求に基づいて、第２のチャンネルを選局するように選局手段を制御し、第２の要求を受信した場合、第２の要求に基づいて、選局されている第２のチャンネルの番組の映像の表示装置への表示を制御するように表示制御手段を制御することができる。
【００６１】
選局手段は、第１のチャンネルと第２のチャンネルとの、２つのチャンネルを同時に選局することができる。
【００６２】
本発明の第３の側面の情報処理方法またはプログラムは、リモートコントローラから送信されてくる、ユーザに接触されたことを示す第１の要求（例えば、検知コマンド）の受信を制御する受信制御ステップ（例えば、図１０のステップＳ１２１の処理）と、所定の処理を実行する処理ステップ（例えば、図１０のステップＳ１２５の処理）と、受信した第１の要求に基づいて、所定の処理のうち、先行して実行させることが可能な処理である第１の処理を実行するように処理ステップを制御する制御ステップ（例えば、図１０のステップＳ１２４の処理）とを含み、受信制御ステップは、リモートコントローラから送信されてくる、所定の処理の実行を要求する第２の要求（例えば、操作コマンド）の受信を制御し、制御ステップは、受信した第２の要求に基づいて、所定の処理から第１の処理を除いた処理である第２の処理を実行するように処理ステップを制御する。
【００６３】
本発明の第２の側面または第３の側面のプログラムは、記録媒体（例えば、図１７のリムーバブルメディア２２１）に記録することができる。
【００６４】
以下、図面を参照しながら本発明の実施の形態について説明する。
【００６５】
図５は、本発明を適用したテレビシステムの一実施の形態の構成を示すブロック図である。このテレビシステム５１においては、リモートコントローラ６１とテレビジョン受像機６２とが、例えば、赤外線などにより通信を行う。テレビシステム５１は、本発明の情報処理システムの一例である。
【００６６】
リモートコントローラ６１は、ユーザにより押圧操作されたボタンに応じて、テレビジョン受像機６２を制御するための制御信号（コマンド（以下、操作コマンドとも称する））を生成し、生成した操作コマンドを、例えば、赤外線などにより、テレビジョン受像機６２に送信する。
【００６７】
また、詳細は後述するが、リモートコントローラ６１の表面には、センサが設けられており、リモートコントローラ６１がユーザに把持された場合、それを検知して制御信号（コマンド（以下、検知コマンドとも称する））を生成し、生成した検知コマンドを、例えば、赤外線などにより、テレビジョン受像機６２に送信する。リモートコントローラ６１は、本発明のリモートコントローラの一例である。
【００６８】
テレビジョン受像機６２は、アンテナ（図示せず）により放送信号を受信し、その受信した放送信号を復号して得られる映像信号を後述する表示部７４に、音声信号をスピーカ（図示せず）に、それぞれ供給する。これにより、ユーザは、表示部７４の画面に表示された映像と、スピーカから出力される音声とを視聴することができる。
【００６９】
また、テレビジョン受像機６２は、ユーザの操作により、リモートコントローラ６１から送信されてくる、操作コマンドまたは検知コマンドなどのコマンドを受信し、受信したコマンドに応じて所定の処理を行う。テレビジョン受像機６２は、本発明の情報処理装置の一例である。
【００７０】
テレビジョン受像機６２は、受光部７１、マイコン７２、マイコン７３、および表示部７４を含むようにして構成される。
【００７１】
受光部７１は、例えば、赤外線などにより、リモートコントローラ６１から送信されてくる、操作コマンドまたは検知コマンドなどのコマンドを受信し、受信したコマンドをマイコン７２に供給する。
【００７２】
マイコン７２は、受光部７１から供給されたコマンドを基に、マイコン７３を制御する。
【００７３】
すなわち、マイコン７２は、受光部７１から供給されたコマンドが、ユーザがリモートコントローラ６１のボタンを押圧操作することにより、リモートコントローラ６１から送信されてくる操作コマンドである場合、受信した操作コマンドに応じた操作コマンドを基に、マイコン７３を制御する。
【００７４】
また、マイコン７２は、受光部７１から供給されたコマンドが、ユーザに把持されることにより、リモートコントローラ６１から送信されてくる検知コマンドである場合、受信した検知コマンドに応じて、例えば、スリープ状態のマイコン７３に電力が供給されるようにして通常の動作状態にさせるなど、マイコン７３を制御する。
【００７５】
マイコン７３は、マイコン７２の制御の基に、画像（例えば、メニュー画面などのグラフィック）を表示部７４の画面に描画して表示させる。
【００７６】
すなわち、マイコン７３は、リモートコントローラ６１から操作コマンドが送信されてきた場合、マイコン７２から供給される操作コマンドに応じた所定の処理を行うことにより、例えば、画像などのグラフィック（例えば、図５の表示部７４に表示されているメニュー画面Ａ２）を表示部７４の画面に描画して表示させる。
【００７７】
また、マイコン７３は、リモートコントローラ６１から検知コマンドが送信されてきた場合、マイコン７２の制御を基に、例えば、自分に電力が供給されることにより、スリープ状態から通常の動作状態に遷移して、グラフィックを描画できる状態になる。
【００７８】
なお、リモートコントローラ６１が、操作コマンドまたは検知コマンドなどのコマンドをテレビジョン受像機６２に送信する方式、すなわちリモートコントローラ６１とテレビジョン受像機６２との間の通信方式は特に限定しない。例えば、通信方式として、赤外線または無線を用いることができる。
【００７９】
次に、リモートコントローラ６１の外観の一例について、図６を参照して説明する。
【００８０】
リモートコントローラ６１の上面には、ユーザにより押圧操作されるボタン６１Ａ乃至６１Ｉが配置される。リモートコントローラ６１のテレビジョン受像機６２側を向く面には、例えば、赤外線などによりコマンドを送信する、後述する送信部９４が配置されている。
【００８１】
リモートコントローラ６１の上面に設けられたボタン６１Ａは、電源キーであり、例えば、ユーザにより押圧操作された場合、リモートコントローラ６１から“電源をオン”にさせる操作コマンドが送信され、その操作コマンドを受信したテレビジョン受像機６２は、全体を起動させて、例えば、チューナ（図示せず）で復号された映像信号を表示部７４の画面に表示させたり、復号された音声信号をスピーカ（図示せず）から出力させたりする。
【００８２】
なお、以下のボタンの説明において、リモートコントローラ６１とテレビジョン受像機６２との間で送受信される操作コマンドは、ボタン６１Ａと同様であるので、その説明を省略して説明する。
【００８３】
ボタン６１Ｂは、消音（ミュート）キーであり、例えば、復号された音声信号がスピーカから出力されないようにする。ボタン６１Ｃは、メニューキーであり、例えば、表示部７４の画面に、ユーザに対して各種の設定を行わせるメニュー画面（例えば、図５のメニュー画面Ａ２）を表示させる。
【００８４】
ボタン６１Ｄは、入力切り替えキーであり、例えば、チューナからの映像信号が表示部７４の画面に表示されていた場合、DVD（Digital Versatile Disk）レコーダやゲーム機などのテレビジョン受像機６２に接続された外部装置からの映像信号を表示部７４の画面に表示させる。ボタン６１Ｅは、“０”乃至“９”の数字キーであり、例えば、“１”キーに、“チャンネル２０”の放送局を割り当てておくことにより、ユーザにより“１”キーが押圧操作された場合、テレビジョン受像機６２は、“チャンネル２０”を選局して、表示部７４の画面に表示させる。
【００８５】
ボタン６１Ｆは、音声のボリュームをアップさせたり、ダウンさせたり音量を調整するためのキーであり、例えば、スピーカから出力される音声の音量を変更させる。ボタン６１Ｇは、カーソルキーであり、例えば、表示部７４の画面に表示されているメニュー画面Ａ２（図５）の項目を選択するためのカーソルを移動させる。
【００８６】
ボタン６１Ｈは、EPGキーであり、例えば、電子番組表を表示部７４の画面に表示させる。ボタン６１Ｉは、決定キーであり、例えば、ユーザにより、メニュー画面Ａ２（図５）のカーソルにより選択された項目を決定する場合に押圧操作される。
【００８７】
また、リモートコントローラ６１（の筐体）の表面には、図６のハッチングされた領域で示すように、その領域には、センサ（タッチセンサ）９１が設けられている。リモートコントローラ６１は、自分がユーザに把持された場合、それをセンサ９１により検知して検知コマンドを生成し、生成した検知コマンドをテレビジョン受像機６２に送信する。
【００８８】
図７は、リモートコントローラ６１の構成の例を示すブロック図である。
【００８９】
リモートコントローラ６１は、センサ９１、入力部９２、制御部９３、および送信部９４を含むようにして構成される。
【００９０】
ユーザにより入力部９２のボタン（例えば、図６のリモートコントローラ６１のボタン６１Ａ乃至６１Ｉのいずれか）が押下された場合、入力部９２は、押下されたボタンに対応する操作信号を制御部９３に供給する。
【００９１】
制御部９３は、入力部９２から供給された操作信号に応じた制御信号（操作コマンド）を生成し、生成した操作コマンドを送信部９４に供給する。
【００９２】
送信部９４は、制御部９３の制御を基に、入力部９２からの操作信号に対応する操作コマンドを、例えば、赤外線などにより、テレビジョン受像機６２に送信する。
【００９３】
リモートコントローラ６１がユーザに把持された場合、センサ９１は、ユーザがリモートコントローラ６１に触れている（接触している）ことを示す検知信号を制御部９３に供給する。
【００９４】
制御部９３は、センサ９１から供給された検知信号に応じた制御信号（検知コマンド）を生成し、生成した検知コマンドを送信部９４に供給する。
【００９５】
送信部９４は、制御部９３の制御を基に、センサ９１からの検知信号に対応する検知コマンドを、例えば、赤外線などにより、テレビジョン受像機６２に送信する。
【００９６】
次に、図８を参照して、テレビシステム５１において、マイコン７３がスリープ状態から通常の動作状態に遷移して、メニュー画面を表示させるまでの処理について説明する。図８では、説明を分かり易くするために、図中上側には、図３の従来のテレビシステム１において、マイコン２３がスリープ状態から通常の動作状態に遷移して、メニュー画面を表示させるまでの処理が表現されている。すなわち、図中下側が、テレビシステム５１による、スリープ状態から通常の動作状態に遷移してメニュー画面を表示する処理となる。
【００９７】
なお、水平方向の実線は、時間軸を表しており、時間の方向は、図中左から右に向かう方向とされている。また、このとき、マイコン７３は、長時間動作する必要がなかったため、スリープ状態になっているとする。
【００９８】
ステップＳ５１において、センサ９１は、リモートコントローラ６１がユーザに把持された場合、検知信号を制御部９３に供給する。送信部９４は、制御部９３の制御の基に、センサ９１からの検知信号に対応する検知コマンドをテレビジョン受像機６２に送信する。テレビジョン受像機６２の受光部７１は、送信部９４から送信されてくる検知コマンドを受信し、受信した検知コマンドをマイコン７２に供給する。
【００９９】
ステップＳ５２において、マイコン７２は、リモートコントローラ６１から送信されてくる検知コマンドであって、受光部７１から供給される検知コマンドを基に、スリープ状態のマイコン７３への電力の供給を再開させる。
【０１００】
ステップＳ５３において、マイコン７３は、自分への電源の供給が再開されてから起動するまでの時間であるシステム起動時間を経過後、起動を終了し待機する。このとき、マイコン７３は、スリープ状態から通常の動作状態に遷移して起動している状態となっているので、マイコン７２の制御の基に、迅速に、所定の処理を開始できる状態にある。
【０１０１】
ここで、（ステップＳ１１において、）ユーザにより、リモートコントローラ６１のボタン６１Ｃが押圧操作された場合、送信部９４は、制御部９３の制御の基に、押圧操作されたボタン６１Ｃに対応する、メニュー画面の表示を指示する操作コマンドを、例えば、赤外線などにより、テレビジョン受像機６２に送信する。受光部７１は、リモートコントローラ６１から送信されてくる操作コマンドを受信し、受信した操作コマンドをマイコン７２に供給する。
【０１０２】
ステップＳ５４において、マイコン７２は、既にスリープ状態から通常の動作状態に遷移して起動しているマイコン７３に対して、メニュー画面の描画を指示する（描画開始処理）。すなわち、図８では、マイコン７３にメニュー画面の描画を指示してから描画を開始するまでの時間が、描画開始処理を行っている時間となる。
【０１０３】
ステップＳ５５において、マイコン７３は、マイコン７２の制御の基に、メニュー画面の描画を開始して、表示部７４の画面に表示させる（例えば、図５の表示部７４の画面に表示されているメニュー画面Ａ２）。
【０１０４】
このように、図中上側の従来のテレビシステム１による処理の場合、ユーザにより、リモートコントローラ１１の押圧操作がされてから、マイコン２３のスリープ状態を通常の動作状態に遷移させて、マイコン２３が起動してから、メニュー画面Ａ１を表示部２４の画面に描画して表示させていた。それに対して、図中下側の本発明のテレビシステム５１による処理の場合、リモートコントローラ６１が押圧操作される前に、ユーザにより、リモートコントローラ６１が把持されたことを検知し、マイコン７３のスリープ状態を動作状態に遷移させて、前もってマイコン７３を起動させておく。そして、ユーザにより、リモートコントローラ６１の押圧操作がされたときには、マイコン７３が既に起動しているので、マイコン７３は、マイコン７２の制御の基に、より迅速に、メニュー画面Ａ２を表示部７４の画面に描画して表示させることができる。
【０１０５】
次に、図９および図１０のフローチャートを参照して、テレビシステム５１における、リモートコントローラ６１とテレビジョン受像機６２との間で送受信されるコマンドに関して、リモートコントローラ６１およびテレビジョン受像機６２のそれぞれが行う処理について説明する。
【０１０６】
まず、図９のフローチャートを参照して、リモートコントローラ６１が行う、コマンド送信の処理について説明する。
【０１０７】
ステップＳ１０１において、センサ９１は、ユーザの接触を検知したか否かを判定する。例えば、ステップＳ１０１において、センサ９１は、ユーザにより、リモートコントローラ６１が把持されたか否かを判定する。
【０１０８】
すなわち、ユーザがリモートコントローラ６１を操作する場合、まず、リモートコントローラ６１を把持してから、その後、ボタンを押圧操作するので、センサ９１は、ユーザにより、リモートコントローラ６１が把持されたか否かを検知する。
【０１０９】
ステップＳ１０１において、ユーザの接触を検知していないと判定された場合、ユーザがリモートコントローラ６１を把持していないので、ステップＳ１０１に戻り、上述した処理が繰り返される。すなわち、リモートコントローラ６１は、ユーザにより把持されるまで待機していることになる。
【０１１０】
一方、ステップＳ１０１において、ユーザの接触が検知されたと判定された場合、ステップＳ１０２に進み、制御部９３は、センサ９１から供給される検知信号を基に、検知コマンドを生成する。制御部９３は、生成した検知コマンドを送信部９４に供給する。例えば、ステップＳ１０２において、制御部９３は、ユーザにより、リモートコントローラ６１が把持された場合、センサ９１から供給された検知信号を基に、検知コマンドを生成し、生成した検知コマンドを送信部９４に供給する。
【０１１１】
ステップＳ１０３において、送信部９４は、制御部９３の制御の基に、制御部９３から供給された検知コマンドを、例えば、赤外線などにより、テレビジョン受像機６２に送信する。
【０１１２】
ステップＳ１０４において、入力部９２は、ユーザにより、リモートコントローラ６１に設けられているボタン６１Ａ乃至６１Ｉのうち、いずれかのボタンが押圧操作されたか否かを判定する。
【０１１３】
すなわち、ユーザにより、リモートコントローラ６１が把持されている場合、ユーザがボタンを押圧操作する可能性があるので、入力部９２は、ユーザにより、リモートコントローラ６１に設けられているボタンが押圧操作されるまで待機している。
【０１１４】
ステップＳ１０４において、ボタンが押圧操作されていないと判定された場合、ユーザにより操作がされていないので、ステップＳ１０４に戻り、上述した処理が繰り返される。すなわち、リモートコントローラ６１は、ユーザによりボタンが押圧操作されるまで待機していることになる。
【０１１５】
一方、ステップＳ１０４において、ボタンが押圧操作されたと判定された場合、ステップＳ１０５に進み、制御部９３は、入力部９２から供給される操作信号を基に、操作コマンドを生成する。制御部９３は、生成した操作コマンドを送信部９４に供給する。例えば、ステップＳ１０５において、制御部９３は、ユーザにより、リモートコントローラ６１に設けられているボタン６１Ａ乃至６１Ｉのうち、ボタン６１Ｃが押圧操作された場合、入力部９２から供給される、押圧操作されたボタン６１Ｃに対応する、メニュー画面の表示を指示する操作コマンドを生成し、生成した操作コマンドを送信部９４に供給する。
【０１１６】
ステップＳ１０６において、送信部９４は、制御部９３の制御を基に、制御部９３から供給された操作コマンドを、例えば、赤外線などにより、テレビジョン受像機６２に送信して処理は終了する。
【０１１７】
このように、リモートコントローラ６１は、ユーザによりボタンが押圧操作された場合に、操作コマンドをテレビジョン受像機６２に送信するだけでなく、ユーザにより把持された場合に、検知コマンドも送信する。その結果、テレビジョン受像機６２側では、リモートコントローラ６１から送信されてくる操作コマンドに応じた所定の処理を行う前に、検知コマンドに応じて様々な処理を実行することが可能となる。
【０１１８】
次に、図１０のフローチャートを参照して、リモートコントローラ６１により送信されたコマンドを受信する側の、テレビジョン受像機６２が行う、コマンド受信の処理について説明する。
【０１１９】
ステップＳ１２１において、受光部７１は、リモートコントローラ６１から送信されてくるコマンドを、例えば、赤外線などにより、受信したか否かを判定する。
【０１２０】
ステップＳ１２１において、コマンドを受信していないと判定された場合、リモートコントローラ６１による操作を受けていないので、ステップＳ１２１に戻り、上述した処理が繰り返される。すなわち、テレビジョン受像機６２は、コマンドを受信するまで、例えば、ユーザにより選局されている所定のチャンネルの映像を表示させるなどの所定の処理を実行し続ける。
【０１２１】
一方、ステップＳ１２１において、コマンドを受信したと判定された場合、ステップＳ１２２に進み、マイコン７２は、受光部７１が受信したコマンドであって、受光部７１から供給されてくるコマンドを解析する。
【０１２２】
ステップＳ１２３において、マイコン７２は、解析したコマンドが検知コマンドであるか否かを判定する。
【０１２３】
ステップＳ１２３において、解析されたコマンドが検知コマンドである場合、ステップＳ１２４に進み、マイコン７２は、描画の処理を行うマイコン７３を制御して、マイコン７３への電力の供給を再開させることにより、スリープ状態であるマイコン７３を起動させて通常の動作状態に遷移させる。
【０１２４】
このとき、マイコン７３は、スリープ状態から動作状態に遷移している状態となっているので、マイコン７２の制御の基に、迅速に、所定の処理を開始できる状態にある。
【０１２５】
一方、ステップＳ１２３において、解析されたコマンドが検知コマンドでない、すなわち、解析されたコマンドが操作コマンドである場合、ステップＳ１２５に進み、スリープ状態から通常の動作状態で起動しているマイコン７３は、マイコン７２の制御の基に、グラフィックを表示部７４の画面に描画して表示させて、処理は終了する。
【０１２６】
例えば、ステップＳ１２５において、スリープ状態から通常の動作状態で起動しているマイコン７３は、マイコン７２の制御の基に、リモートコントローラ６１に設けられているボタン６１Ｃに対応するメニュー画面の表示を指示する操作コマンドに応じて、メニュー画面Ａ２（図５）を表示部７４の画面に描画して表示させる。
【０１２７】
すなわち、テレビジョン受像機６２では、ステップＳ１２４の処理において、マイコン７２は、検知コマンドを基に、マイコン７３がスリープ状態から通常の動作状態に遷移するように制御し、ステップＳ１２５の処理において、マイコン７２は、操作コマンドを基に、ステップＳ１２４の処理により通常の動作状態で動作しているマイコン７３が、例えば、メニュー画面を表示部７４の画面に表示させる処理などの、所定の処理を実行するように制御する。
【０１２８】
このように、マイコン７３がスリープ状態である場合、ユーザにより、リモートコントローラ６１が把持されたタイミングで、マイコン７３がスリープ状態から動作状態に遷移し、ユーザにより、リモートコントローラ６１が押圧操作されたときには、マイコン７３は、通常の動作状態で動作しているので、迅速に、操作コマンドに応じた所定の処理を行うことができる。
【０１２９】
ところで、上述した例においては、検知コマンドを利用した処理の一例として、マイコン７２が、検知コマンドに応じて、スリープ状態のマイコン７３を起動させて、起動したマイコン７３が、ユーザの操作に応じて、メニュー画面Ａ２などのグラフィックを表示部７４の画面に表示させる処理について説明したが、本発明はそれに限らず、例えば、検知コマンドを利用して、マイコン７２が、チューナにチャンネルの選局を行わせるようにしてもよい。
【０１３０】
図１１は、本発明を適用したテレビシステムの一実施の形態の他の構成を示すブロック図である。
【０１３１】
図５と同様の部分には同一の符号が付してあり、その説明は適宜省略する。
【０１３２】
このテレビシステム１０１においては、リモートコントローラ１１１とテレビジョン受像機１１２とが、例えば、赤外線などにより通信を行う。テレビシステム１０１は、本発明の情報処理システムの一例である。
【０１３３】
リモートコントローラ１１１は、リモートコントローラ６１と同様に、ユーザにより押圧操作されたボタンに応じて、テレビジョン受像機１１２を制御するための操作コマンドを生成し、生成した操作コマンドを、例えば、赤外線などにより、テレビジョン受像機１１２に送信する。
【０１３４】
また、詳細は後述するが、リモートコントローラ１１１のボタンの表面には、センサが設けられており、ユーザがそのボタンに触れた場合、それを検知して検知コマンドを生成し、生成した検知コマンドを、例えば、赤外線などにより、テレビジョン受像機１１２に送信する。リモートコントローラ１１１は、本発明のリモートコントローラの一例である。
【０１３５】
テレビジョン受像機１１２は、テレビジョン受像機６２と同様に、アンテナ（図示せず）により放送信号を受信し、その受信した放送信号を復号して得られる映像信号を後述する表示部７４に、音声信号をスピーカ（図示せず）に、それぞれ供給する。これにより、ユーザは、表示部７４の画面に表示された映像と、スピーカから出力される音声とを視聴することができる。
【０１３６】
また、テレビジョン受像機１１２は、ユーザの操作により、リモートコントローラ１１１から送信されてくる、操作コマンドまたは検知コマンドなどのコマンドを受信し、受信したコマンドに応じた所定の処理を行う。テレビジョン受像機１１２は、本発明の情報処理装置の一例である。
【０１３７】
テレビジョン受像機１１２は、受光部７１、マイコン７２、表示部７４、マイコン１２１、記憶部１２２、チューナ１２３、および映像処理部１２４を含むようにして構成される。
【０１３８】
すなわち、テレビジョン受像機１１２では、テレビジョン受像機６２（図５）と比較して、マイコン７３の代わりに、マイコン１２１、記憶部１２２、チューナ１２３、および映像処理部１２４が設けられている。
【０１３９】
マイコン７２は、受光部７１から供給されたコマンドを基に、マイコン１２１を制御する。
【０１４０】
すなわち、マイコン７２は、受光部７１から供給されたコマンドが、ユーザがボタンに触れることにより、リモートコントローラ１１１から送信されてくる検知コマンドである場合、検知コマンドに応じて、マイコン１２１が、チャンネルを選局する（準備の）処理を行うように制御する。チャンネルを選局する処理の詳細は後述する。
【０１４１】
また、マイコン７２は、受光部７１から供給されたコマンドが、ユーザがリモートコントローラ１１１のボタンを押圧操作することにより、リモートコントローラ１１１から送信されてくる操作コマンドである場合、受信した操作コマンドを基に、マイコン１２１を制御する。
【０１４２】
マイコン１２１は、マイコン７２の制御の基に、チューナ１２３が所定のチャンネルを選局するように制御する。また、マイコン１２１は、マイコン７２の制御の基に、映像処理部１２４がチューナ１２３により選局されたチャンネルの映像信号に応じた映像を表示部７４の画面に表示するように制御する。
【０１４３】
すなわち、マイコン１２１は、リモートコントローラ１１１から検知コマンドが送信されてきた場合、マイコン７２から供給される検知コマンドに応じて、記憶部１２２に記憶されている、ユーザにより予め設定された設定値や選局するチャンネルの固有の情報を読み出し、読み出した情報に基づいて、チューナ１２３がチャンネルを選局する処理を行うように制御する。
【０１４４】
また、マイコン１２１は、リモートコントローラ１１１から操作コマンドが送信されてきた場合、マイコン７２から供給される操作コマンドに応じて、映像処理部１２４が、チューナ１２３から供給された映像信号に基づいて、表示部７４の画面に表示させている映像のチャンネルを切り替えるように制御する。
【０１４５】
チューナ１２３は、マイコン１２１の制御の基に、ユーザの操作に応じた受信する放送局の指定に従って、アンテナ（図示せず）により受信された地上波や放送衛星からの電波などのテレビジョン放送の放送電波に対応する放送信号であって、アンテナから供給された放送信号を復調し、復調して得られた映像信号を映像処理部１２４に供給する。
【０１４６】
チューナ１２３は、チューナ１２３−１およびチューナ１２３―２を含むようにして構成される。
【０１４７】
チューナ１２３−１は、マイコン１２１の制御の基に、例えば、ユーザの操作に応じた受信する放送局の指定に従って、アンテナ（図示せず）により受信されたテレビジョン放送の放送電波に対応する放送信号であって、アンテナから供給された放送信号を復調し、復調して得られた映像信号を映像処理部１２４に供給する。
【０１４８】
チューナ１２３−２は、マイコン１２１の制御の基に、例えば、リモートコントローラ１１１から送信されてくる検知コマンドに従って、アンテナ（図示せず）により受信されたテレビジョン放送の放送電波に対応する放送信号であって、アンテナから供給された放送信号を復調し、復調して得られた映像信号を映像処理部１２４に供給する。
【０１４９】
すなわち、チューナ１２３では、チューナ１２３−１およびチューナ１２３−２のそれぞれに、別々のチャンネルを選局させることができるので、例えば、チューナ１２３−１が、表示部７４の画面に表示されている映像のチャンネルを選局している場合、チューナ１２３−２は、表示部７４の画面に表示されている映像とは、別のチャンネルを選局することができる。
【０１５０】
映像処理部１２４は、マイコン１２１の制御の基に、チューナ１２３から供給された映像信号に対して、例えば、解像度を変換したり、画質を調整したりするなどの所定の処理を施し、所定の処理を施すことにより得られた映像信号を、表示部７４の画面に表示させる。
【０１５１】
次に、リモートコントローラ１１１の外観について、図１２を参照して説明する。
【０１５２】
リモートコントローラ１１１では、リモートコントローラ６１（図６）と同様の機能を有するボタンが同様に配置されているので、その説明は適宜省略する。
【０１５３】
ボタン１１１Ｅは、“０”乃至“９”の数字キーであり、例えば、“１”キーに、“チャンネル２０”の放送局を割り当てておくことにより、ユーザにより“１”キーが押圧操作された場合、テレビジョン受像機１１２は、“チャンネル２０”を選局して、“チャンネル２０”である番組の映像を、表示部７４の画面に表示させる。
【０１５４】
また、ボタン１１１Ｅの“０”乃至“９”の数字キーの表面には、図１２のハッチングされた領域で示すように、その領域には、センサ（タッチセンサ）１４１−１乃至１４１−１０が設けられている。リモートコントローラ１１１は、ユーザにより、ボタン１１１Ｅが触れられた場合、それをセンサ１４１−１乃至１４１−１０のいずれかが検知して検知コマンドを生成し、生成した検知コマンドをテレビジョン受像機１１２に送信する。
【０１５５】
すなわち、リモートコントローラ６１（図６）では、その表面全体にセンサ９１が設けられていたが、リモートコントローラ１１１（図１２）では、チャンネルを選局する数字キーであるボタン１１１Ｅの表面にセンサ１４１−１乃至１４１−１０のそれぞれが設けられている。
【０１５６】
これは、一般的に、ユーザがリモートコントローラを使用してチャンネルを選局する場合、多かれ少なかれ、押圧操作するボタンを押下するまでの間に、そのボタンの表面を触っている時間があるので、その特性を利用して、ボタンにセンサを設けて、ユーザがボタンに触れた場合にそれを検知することで、その触れられたボタンを押圧操作すると想定した処理を事前に行うことが可能となる。
【０１５７】
図１３は、リモートコントローラ１１１の構成の例を示すブロック図である。
【０１５８】
図７と同様の部分には同一の符号が付してあり、その説明は適宜省略する。すなわち、リモートコントローラ１１１では、リモートコントローラ６１（図７）と比較して、センサ９１の代わりに、センサ１４１が設けられている。
【０１５９】
リモートコントローラ１１１は、入力部９２、制御部９３、送信部９４、およびセンサ１４１を含むようにして構成される。なお、説明を分かり易くするために、図１２で説明した、センサ１４１−１乃至１４１−１０を、図１３では、センサ１４１として表現している。
【０１６０】
リモートコントローラ１１１のボタン１１１Ｅがユーザに触れられた場合、センサ１４１（センサ１４１−１乃至１４１−１０）は、ユーザがボタン１１１Ｅに触れている（接触している）ことを示す検知信号を制御部９３に供給する。
【０１６１】
制御部９３は、センサ９１から供給された検知信号に応じた制御信号（検知コマンド）を生成し、生成した検知コマンドを送信部９４に供給する。
【０１６２】
送信部９４は、制御部９３の制御を基に、センサ１４１（センサ１４１−１乃至１４１−１０）からの検知信号に対応する検知コマンドを、例えば、赤外線などにより、テレビジョン受像機１１２に送信する。
【０１６３】
次に、図１４を参照して、テレビシステム１０１がチャンネルを選局するまでの処理について説明する。図１４では、説明を分かり易くするために、図中上側には、図４の従来のテレビシステム１による、チャンネルを選局するまでの処理が表現されている。すなわち、図中下側が、テレビシステム１０１による、チャンネルを選局するまでの処理となる。
【０１６４】
なお、水平方向の実線は、時間軸を表しており、時間の方向は、図中左から右に向かう方向とされている。
【０１６５】
ステップＳ１５１において、センサ１４１−１乃至１４１−１０のいずれかは、ユーザにより、ボタン１１１Ｅが押圧操作された場合、検知信号を制御部９３に供給する。送信部９４は、制御部９３の制御の基に、センサ１４１−１乃至１４１−１０のいずれかからの検知信号に対応する検知コマンドをテレビジョン受像機１１２に送信する。テレビジョン受像機１１２の受光部７１は、送信部９４から送信されてくる検知コマンドを受信し、受信した検知コマンドをマイコン７２に供給する。
【０１６６】
ステップＳ１５２において、マイコン１２１は、マイコン７２の制御の基に、記憶部１２２に記憶されている、ユーザにより予め設定された設定値や選局するチャンネルの固有の情報を読み出し、読み出した情報にしたがって、受光部７１から供給された検知コマンドに応じたチャンネルをチューナ１２３に選局させる。
【０１６７】
ステップＳ１５３において、チューナ１２３は、チャンネルの選局を開始してから選局が終了するまでの時間である選局時間を経過後、検知コマンドに応じたチャンネルの選局を終了し待機する。このとき、チューナ１２３は、既に、ユーザにより触れられたボタンに対応したチャンネルを選局しているので、ユーザが触れていたボタンを押圧操作した場合、映像処理部１２４がチューナ１２３により選局されたチャンネルの映像に切り替えるだけで、ユーザに押圧操作されたボタンに対応するチャンネルの映像を、表示部７４の画面に表示させることができるので、迅速に、チャンネルの表示の切り替えを開始できる状態にある。
【０１６８】
ここで、（ステップＳ２１において、）ユーザにより、リモートコントローラ１１１のボタン１１１Ｅが押圧操作された場合、送信部９４は、制御部９３の制御の基に、押圧操作されたボタン１１１Ｅに対応する、所定のチャンネルへの切り替えを指示する操作コマンドを、例えば、赤外線などにより、テレビジョン受像機１１２に送信する。受光部７１は、リモートコントローラ１１１から送信されてくる操作コマンドを受信し、受信した操作コマンドをマイコン７２に供給する。
【０１６９】
ステップＳ１５４において、マイコン１２１は、マイコン７２の制御の基に、チューナ１２３により選局されたチャンネルの映像の表示を映像処理部１２４に指示する（描画開始処理）。すなわち、図１４では、映像処理部１２４にチャンネルの選局を指示してから描画を開始するまでの時間が、描画開始処理を行っている時間となる。
【０１７０】
ステップＳ１５５において、映像処理部１２４は、マイコン１２１の制御の基に、チューナ１２３により選局された映像信号に対応する映像の描画を開始して、表示部７４の画面に表示させる（例えば、図１１の表示部７４の画面に表示されている映像Ａ３）。
【０１７１】
このように、図中上側の従来のテレビシステム１による処理の場合、リモートコントローラ１１の押圧操作がされてから、チューナ（図示せず）が選局を開始し、映像処理部（図示せず）がチューナにより選局されたチャンネルの映像信号に対応した映像を表示部７４の画面に描画して表示させていた。それに対して、図中下側の本発明のテレビシステム１０１による処理の場合、リモートコントローラ１１１が押圧操作される前に、ユーザにより、リモートコントローラ１１１のボタンに触れられたことを検知し、チューナ１２３に前もってチャンネルを選局させておく。そして、ユーザにより、リモートコントローラ１１１の押圧操作がされたときには、チューナ１２３により表示させるチャンネルが既に選局されているので、映像処理部１２４は、マイコン１２１の制御の基に、より迅速に、映像Ａ３を表示部７４の画面に表示させることができる。
【０１７２】
次に、図１５および図１６のフローチャートを参照して、テレビシステム１０１における、リモートコントローラ１１１とテレビジョン受像機１１２との間で送受信されるコマンドに関して、リモートコントローラ１１１およびテレビジョン受像機１１２のそれぞれが行う処理について説明する。
【０１７３】
まず、図１５のフローチャートを参照して、リモートコントローラ１１１が行う、コマンド送信の処理について説明する。
【０１７４】
ステップＳ２０１において、センサ１４１は、ユーザの接触を検知したか否かを判定する。例えば、ステップＳ２０１において、センサ１４１は、ユーザにより、リモートコントローラ１１１のボタン１１１Ｅが触れられたか否かを判定する。
【０１７５】
すなわち、ユーザがリモートコントローラ１１１を操作する場合、まず、ボタン１１１Ｅに触れてから、その後、その触れているボタン１１１Ｅを押圧操作するので、センサ１４１は、ユーザにより、ボタン１１１Ｅが触れられたか否かを検知する。
【０１７６】
ステップＳ２０２およびステップＳ２０３の処理のそれぞれは、図９のステップＳ１０２およびステップＳ１０３の処理のそれぞれと同様であり、その説明は省略する。
【０１７７】
ステップＳ２０４において、入力部９２は、ユーザにより、リモートコントローラ１１１に設けられているボタン１１Ａ乃至１１１Ｉのうち、ボタン１１１Ｅの数字キーが押圧操作されたか否かを判定する。
【０１７８】
すなわち、ユーザにより、リモートコントローラ１１１に設けられたボタン１１１Ｅの数字キーが触れられた場合、ユーザがボタン１１Ｅの数字キーを押圧操作する可能性があるので、入力部９２は、ユーザにより、ボタン１１１Ｅの数字キーが押圧操作されるまで待機している。
【０１７９】
ステップＳ２０５およびステップＳ２０６の処理のそれぞれは、図９のステップＳ１０５およびステップＳ１０６の処理のそれぞれと同様であり、その説明は省略する。
【０１８０】
次に、図１６のフローチャートを参照して、テレビジョン受像機１１２が行う、コマンド受信の処理について説明する。
【０１８１】
ステップＳ２２１乃至ステップＳ２２３の処理のそれぞれは、図１０のステップＳ１２１乃至ステップＳ１２３の処理のそれぞれと同様であり、その説明は省略する。
【０１８２】
ステップＳ２２３において、解析されたコマンドが検知コマンドである場合、ステップＳ２２４に進み、マイコン１２１は、マイコン７２の制御の基に、記憶部１２２に記憶されている、ユーザにより予め設定された設定値や選局するチャンネルの固有の情報を読み出し、読み出した情報にしたがって、チャンネルを切り替える準備をチューナ１２３に指示する。
【０１８３】
例えば、ステップＳ２２４において、マイコン１２１は、マイコン７２の制御の基に、チューナ１２３−１が表示部７４の画面に表示されている映像の映像信号を映像処理部１２４に供給している場合、検知コマンドに応じたチャンネルをチューナ１２３−２に選局させる。
【０１８４】
ステップＳ２２５において、チューナ１２３は、マイコン１２１の制御の基に、チャンネルを切り替える準備をする。
【０１８５】
例えば、ステップＳ２２５において、チューナ１２３−２は、マイコン１２１の制御の基に、検知コマンドに応じたチャンネルを選局し、選局したチャンネルの番組の映像信号を映像処理部１２４に供給する。
【０１８６】
このとき、チューナ１２３では、チューナ１２３−１が表示部７４の画面に表示されているチャンネルを選局し、チューナ１２３−２がユーザに触れられたボタン１１１Ｅの数字キーに対応したチャンネルを選局している状態となっているので、マイコン１２１（マイコン７２）の制御の基に、迅速に、チャンネルを切り替えることができる。
【０１８７】
一方、ステップＳ２２３において、解析されたコマンドが検知コマンドでない、すなわち、解析されたコマンドが操作コマンドである場合、ステップＳ２２６に進み、映像処理部１２４は、マイコン１２１の制御の基に、チューナ１２３から供給された映像信号に対応した映像であって、ユーザの操作により、切り替えられたチャンネルの映像を表示部７４の画面に表示させて、処理は終了する。
【０１８８】
例えば、ステップＳ２２６において、映像処理部１２４は、マイコン１２１の制御の基に、表示部７４の画面に表示させる映像を、チューナ１２３−１から供給される映像信号から、チューナ１２３−２から供給される映像信号に切り替えて、チューナ１２３−２から供給された映像信号に対応した映像を表示部７４の画面に表示させる。
【０１８９】
このとき、テレビジョン受像機１１２では、チューナ１２３−２は、マイコン１２１（マイコン７２）の制御の基に、検知コマンドに応じて、ユーザに触れられたボタン１１Ｅの数字キーに対応したチャンネルを選局しているので、映像処理部１２４は、マイコン１２１（マイコン７２）の制御の基に、チューナ１２３−１からチューナ１２３−２に、入力されてくる映像信号を切り替えるだけで、表示部７４の画面に表示させる映像を切り替えることになる。
【０１９０】
すなわち、テレビジョン受像機１１２では、ステップＳ２２４およびステップＳ２２５の処理において、マイコン７２は、検知コマンドを基に、チューナ１２３−２がユーザにより触れられたボタンのチャンネルを選局するようにマイコン１２１を制御し、ステップＳ２２６の処理において、マイコン７２は、操作コマンドを基に、映像処理部１２４が、チューナ１２３−２により選局されたチャンネルの番組の映像信号に対応した映像を、表示部７４の画面に表示するようにマイコン１２１を制御する。
【０１９１】
このように、例えば、ユーザにより、リモートコントローラ１１１のボタン１１１Ｅが触れられた場合にそれを検知して、検知コマンドをテレビジョン受像機１１２に送信することで、テレビジョン受像機１１２は、検知コマンドに基づいて、ユーザが次に選局するチャンネルを想定できる。したがって、チューナ１２３−１およびチューナ１２３−２のうち、表示部７４の画面に映像を表示させていない方のチューナが、ユーザにより触れられたボタンのチャンネルを選局しておくことで、ユーザの操作により、リモートコントローラ１１１から操作コマンドが送信されてきた場合に、チューナによるチャンネルの選局が終了しているので、迅速に、表示部７４に表示されている映像のチャンネルを切り替えることができる。その結果、テレビジョン受像機１１２は、ユーザにとっての見た目の処理時間を短縮させることができる。
【０１９２】
以上のように、本発明によれば、迅速に、所定の処理を開始することができる。
【０１９３】
また、本発明によれば、リモートコントローラをユーザが使用しようとしていることを事前に予見し、リモートコントローラにより操作される側の機器がスリープ状態で動作している場合には、スリープ状態から通常の動作状態に遷移させることができる。その結果、機器側では、迅速に、スリープ状態から復帰して、所定の処理を実行することができる。
【０１９４】
さらに、本発明によれば、ユーザが行うリモートコントローラの操作を事前に予見し、先行して実行することが可能となる処理を、先に実行させることができる。その結果、機器側では、ユーザに対する見かけ上の処理速度を向上させることができる。
【０１９５】
なお、上述した例においては、リモートコントローラとテレビジョン受像機からなるテレビシステムを一例にして説明したが、本発明はそれに限らず、例えば、パーソナルコンピュータ、DVDレコーダ、またはオーディオ機器など、リモートコントローラとリモートコントローラにより操作される機器に適用することができる。
【０１９６】
なお、リモートコントローラに設けられたセンサであるが、上述した例においては、リモートコントローラの筐体の表面（図６）と、リモートコントローラのボタンの表面（図１２）に設けられるとして説明したが、本発明はそれに限らず、例えば、リモートコントローラの筐体の表面とボタンの表面との両方にセンサを設けるようにしてもよい。
【０１９７】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１９８】
図１７は、汎用のパーソナルコンピュータ２０１の内部の構成例を示す図である。CPU（Central Processing Unit）２１１は、ROM（Read Only Memory）２１２に記憶されているプログラム、または記録部２１８からRAM（Random Access Memory）２１３にロードされたプログラムに従って各種の処理を実行する。RAM２１３にはまた、CPU２１１が各種の処理を実行する上において必要なデータなども適宜記憶される。
【０１９９】
CPU２１１、ROM２１２、およびRAM２１３は、バス２１４を介して相互に接続されている。このバス２１４にはまた、入出力インタフェース２１５も接続されている。
【０２００】
入出力インタフェース２１５には、ボタン、スイッチ、キーボードあるいはマウスなどで構成される入力部２１６、CRT（Cathode Ray Tube）やLCD（Liquid Crystal Display）などのディスプレイ、並びにスピーカなどで構成される出力部２１７、ハードディスクなどで構成される記録部２１８、およびモデムやターミナルアダプタなどで構成される通信部２１９が接続されている。通信部２１９は、インターネットを含むネットワークを介して通信処理を行う。
【０２０１】
入出力インタフェース２１５にはまた、必要に応じてドライブ２２０が接続され、磁気ディスク、光ディスク、光磁気ディスク、あるいは半導体メモリなどよりなるリムーバブルメディア２１１が適宜装着され、そこから読み出されたコンピュータプログラムが、記録部２１８にインストールされる。
【０２０２】
コンピュータにインストールされ、コンピュータによって実行可能な状態とされるプログラムを記録する記録媒体は、図１７に示されるように、装置本体とは別に、ユーザにプログラムを提供するために配布される、プログラムが記録されている磁気ディスク（フレキシブルディスクを含む）、光ディスク（CD-ROM（Compact Disc-Read Only Memory）、DVD(Digital Versatile Disc)を含む）、光磁気ディスク（MD(Mini-Disc)（登録商標）を含む）、もしくは半導体メモリなどよりなるリムーバブルメディア２１１により構成されるだけでなく、装置本体にあらかじめ組み込まれた状態でユーザに提供される、プログラムが記録されているROM２１２または記録部２１８に含まれるハードディスクなどで構成される。
【０２０３】
さらに、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０２０４】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２０５】
また、本明細書において、システムとは、複数の装置により構成される装置全体を表すものである。
【０２０６】
さらに、本発明の実施の形態は、上述した実施の形態に限定されるものではなく、本発明の要旨を逸脱しない範囲において種々の変更が可能である。
【図面の簡単な説明】
【０２０７】
【図１】従来のテレビシステムの構成を説明する図である。
【図２】従来のリモートコントローラの外観について説明する図である。
【図３】従来のテレビシステムがスリープ状態から動作状態に遷移してメニュー画面を表示するまでの処理について説明する図である。
【図４】従来のテレビシステムがチャンネルを選局するまでの処理について説明する図である。
【図５】本発明を適用したテレビシステムの一実施の形態の構成を示すブロック図である。
【図６】リモートコントローラの外観の一例について説明する図である。
【図７】リモートコントローラの構成の例を示すブロック図である。
【図８】テレビシステムがスリープ状態から動作状態に遷移してメニュー画面を表示するまでの処理について説明する図である。
【図９】リモートコントローラが行う、コマンド送信の処理について説明するフローチャートである。
【図１０】テレビジョン受像機が行う、コマンド受信の処理について説明するフローチャートである。
【図１１】本発明を適用したテレビシステムの一実施の形態の他の構成を示すブロック図である。
【図１２】リモートコントローラの外観の一例について説明する図である。
【図１３】リモートコントローラの構成の例を示すブロック図である。
【図１４】テレビシステムがチャンネルを選局するまでの処理について説明する図である。
【図１５】リモートコントローラが行う、コマンド送信の処理について説明するフローチャートである。
【図１６】テレビジョン受像機が行う、コマンド受信の処理について説明するフローチャートである。
【図１７】パーソナルコンピュータの構成の例を示すブロック図である。
【符号の説明】
【０２０８】
５１  テレビシステム，  ６１  リモートコントローラ，  ６１Ａ乃至６１Ｉ  ボタン，  ６２  テレビジョン受像機，  ７１  受光部，  ７２  マイコン，  ７３  マイコン，  ７４  表示部，  ９１  センサ，  ９２  入力部，  ９３  制御部，  ９４  送信部，  １０１  テレビシステム，  １１１  リモートコントローラ，  １１１Ａ乃至１１１Ｉ  ボタン，  １１２  テレビジョン受像機，  １２１  マイコン，  １２２  記憶部，  １２３，１２３−１，１２３−２  チューナ，  １２４  映像処理部，  １４１  センサ
【図１】
2007081921.tif 000003
【図２】
2007081921.tif 000004
【図３】
2007081921.tif 000005
【図４】
2007081921.tif 000006
【図５】
2007081921.tif 000007
【図６】
2007081921.tif 000008
【図７】
2007081921.tif 000009
【図８】
2007081921.tif 000010
【図９】
2007081921.tif 000011
【図１０】
2007081921.tif 000012
【図１１】
2007081921.tif 000013
【図１２】
2007081921.tif 000014
【図１３】
2007081921.tif 000015
【図１４】
2007081921.tif 000016
【図１５】
2007081921.tif 000017
【図１６】
2007081921.tif 000018
【図１７】
2007081921.tif 000019